(57)【特許請求の範囲】
【請求項１】
野球用グローブの指の挿入部分の外側に人差し指又は中指を入れる指用カバーが設けられ、この指用カバーは、グローブ本体と連結させる連結部が指用カバーのほぼ中央において左右に突出して形成され当該連結部によってグローブ本体と連結させることで、指用カバーに入れた指の動きに合わせてグローブ本体から離したり接したりすることを特徴とする野球用グローブ。
【請求項２】
前記指用カバーが人差し指用であり、グローブ本体の人差し指の挿入部分の外側において、グローブ本体の窓部の凸状の縁部に引っ掛けるように合わせた位置で、グローブ本体と紐を介して着脱自在に縫合し連結させることを特徴とする請求項１記載の野球用グローブ。
【請求項３】
野球用グローブを縫い合わせる紐を前記連結部に形成された穴に通すことでグローブ本体と着脱自在に縫合し連結させることを特徴とする請求項２記載の野球用グローブ。
【発明の詳細な説明】
【０００１】
【発明の属する技術分野】
この発明は、野球用グローブの指の挿入部分の外側に個別の指を入れる指用カバーが設けられた野球用グローブに関する。
【０００２】
【従来の技術】
従来、野球用グローブは、硬式用でも軟式用でも皮製のものが通常使用され、親指を入れる部分と親指以外の四指を入れる挿入部分が離して設けられ、これらの間にボールを捕獲する網が皮製の紐で縫い合わされている。しかし、特に、人指しを入れる部分は捕獲用の網に近いために、ボールのキャッチを行い易くするためやボールを受けるときの痛みを和らげるために、人差し指をその指の挿入部分から外して（外側に出して）使用されることが多い。なお、捕手が使用するグローブや一塁手が使用するグローブは、ミット、ファーストミットとも呼ばれるが、本明細書中では、これらを含めて野球用グローブと呼び使用する。また、ソフトボールで使用されるグローブも、本明細書中では野球用グローブと呼び使用する。
【０００３】
しかし、人差し指等の個別の指を外に出して使用すると、ベースタッチの際や地面すれすれにボールをキャッチする際などに、外側に出した指を損傷することがあるために、グローブ本体の四指の挿入部分の外側に人差し指等の個別の指をカバーする指用カバーがその裏面側全域にグローブ本体と縫い合わされたものが近年開発されている。
【０００４】
【発明が解決しようとする課題】
しかしながら、上記指用カバーをグローブ本体と全面的に縫い合わせると、個別の指の動作の自由が利かず、ボールをキャッチしにくくなったり、ボールを受けたときの痛みを十分に和らげることができない等の問題を有していた。
【０００５】
一方、人差し指等の個別の指をグローブ本体の指の挿入部分から出して使用するか、全部の指をグローブ本体の指の挿入部分に入れて使用するかは、ポジションやその野球用グローブを使用する者の使用感などによって一律ではなく、又、野球用グローブの使用年数等による馴染み感などによっても異なるものであり、従来の指用カバーがグローブ本体と全面的に縫い合わせられたタイプでは、指用カバーが不要な場合には、これを剥離させて使用するか、別に新たな野球用グローブを購入しなければならない不便を有していた。
【０００６】
そこで、本発明の目的は、指用カバーに入れた指の動きに合わせて指用カバーを動かすことができ、しかも、指用カバーが必要な場合にのみ容易に装着して使用することが可能な野球用グローブ用紙を提供することにある。
【０００７】
本発明の野球用グローブは、野球用グローブの指の挿入部分の外側に人差し指又は中指を入れる指用カバーが設けられ、この指用カバーは、グローブ本体と連結させる連結部が指用カバーのほぼ中央において左右に突出して形成され当該連結部によってグローブ本体と連結させることで、指用カバーに入れた指の動きに合わせてグローブ本体から離したり接したりすることを特徴とする。
本発明は、前記指用カバーが人差し指用であり、グローブ本体の人差し指の挿入部分の外側において、グローブ本体の窓部の凸状の縁部に引っ掛けるように合わせた位置で、グローブ本体と紐を介して着脱自在に縫合し連結させることを特徴とする。
本発明は、野球用グローブを縫い合わせる紐を前記連結部に形成された穴に通すことでグローブ本体と着脱自在に縫合し連結させることを特徴とする。
【０００８】
この発明によれば、指用カバーは、グローブ本体と所定箇所のみ接合され、指用カバーに入れた指の動きに合わせてグローブ本体から指用カバーを離したり接するようにすることができるので、指の動作の自由が利き、ボールをキャッチし易くしたり、ボールを受けたときの痛みを十分に和らげることが可能になる。
【０００９】
本発明としては、前記指用カバーがグローブ本体と紐を介して着脱されることを特徴とする。
【００１０】
本発明としては、前記紐が野球用グローブを縫い合わせる紐であり、前記指用カバーの接合箇所に穴が形成され、この穴に通す上記紐を介して前記指用カバーがグローブ本体と着脱されることを特徴とする。
【００１１】
これらの発明によれば、指用カバーを紐を介して着脱することができるので、指用カバーが必要なときには取り付け、不要な場合は取り外して野球用グローブを使用することができる。また、紐の結び方の強弱や紐を結ぶ位置を変えることによって、指の動作による指用カバーの動作に強弱をもたせることができる。さらに、上記紐を野球用グローブを縫い合わせている紐を使用して、指用カバーを装着させれば、別の紐を別に設けることなく着脱させることができる。
【００１２】
【発明の実施の形態】
以下、本発明の一実施の形態について図面を参照して詳細に述べる。
【００１３】
（第１の実施の形態）
本実施の形態は、図１及び図２に示すように、硬式野球用の野手用の野球用グローブに本発明を適用したもので、この野球用グローブＧ１は、親指を入れる部分１と親指以外の四指を入れる各々の挿入部分２，３，４，５が離して設けられ、これらの間にボールを捕獲する網６が皮製の紐７で縫い合わされるとともに、親指を入れる部分１と小指を入れる部分５とを連結する甲当て部分８により、手を挿入する開口９と、手の甲部分を部分的に開口する窓部１０が設けられている。また、皮製の紐７により所定箇所が縫い合わされ、上記網６も皮製の紐７で縫い合わされている。皮製の野球用グローブＧ１においては、紐７が何本も使用され、その紐７の結び方で、上記網６の部分の大きさを修正したりすること等が可能であるとともに、表裏面に表れてデザイン的な働きもしている。
【００１４】
そして、人差し指の挿入部分２の外側には、指用カバーＣ１が取り付けられている。この指用カバーＣ１は、人差し指が収納され得る大きさの皮製のもので、裏面部材Ｃａと表側部材Ｃｂの外周が縫合されて、人差し指をその第２関節から指先まで覆う長さを有する。なお、下側の挿入口部分Ｃｃは、裏面部材Ｃａと表側部材Ｃｂとは縫合されていない。指用カバーＣ１の表側部材Ｃｂのほぼ中央には、グローブ本体Ｇと縫合させる連結部１１ａ，１１ａが左右に突出して形成されている。この連結部１１ａ，１１ａの連結は、グローブ本体Ｇの人差し指の挿入部分２の外側において、上記窓部１０の凸状の縁部１０ａに引っ掛けるように合わせた位置で連結されている。なお、上記連結部１１ａ，１１ａ以外では、指用カバーＣ１はグローブ本体Ｇと連結されていないが、上記左右の連結部１１ａ，１１ａから裏面部材Ｃａの裏側箇所に連続的に縫合させて連結させることも可能である（図１の符号１０ｂのライン参照）。
【００１５】
次に、本実施の形態の野球用グローブＧの実際の使用の仕方について説明すると、片側の手を野球用グローブＧの開口９から入れて、人差し指は、指用カバーＣ１の挿入口部分１３から入れて、親指と他の指はグローブ本体Ｇの指の挿入部分１，３，４，５に各々入れる。そして、人差し指の指先に力を入れると、上記連結部１１ａ，１１ａを中心にして指用カバーＣ１の先の部分がグローブ本体Ｇの本来の人差し指の挿入部分２と接して外側から押圧するが、人差し指の指先の力を抜くと、図２に示すように、上記連結部１１ａ，１１ａを中心にして指用カバーＣ１の先の部分がグローブ本体Ｇの本来の人差し指の挿入部分２から離れることとなる（図２中矢印参照）。このように、人差し指の指先の力の入れ具合によって、指用カバーＣ１に入れた指の動きに合わせてグローブ本体Ｇから指用カバーＣ１を離したり接するようになり、ボールのキャッチを行い易くしたり、ボールを受けるときの痛みを和らげることが可能になる。
【００１６】
（第２の実施の形態）
本実施の形態は、図３乃至図５に示すように、グローブ本体Ｇから着脱自在に構成した指用カバーＣ２を有する野球用グローブＧ２である。すなわち、指用カバーＣ２の連結部１１ａ，１１ａには、皮製の紐を通す穴１２ａ，１２ａが左右に形成され、野球用グローブＧを縫い合わせる紐７を使用してグローブ本体Ｇに結び付けられている。紐７としては、指用カバーＣ２を取り付けるための専用の紐でも良いが、野球用グローブＧを縫い合わせる紐７をグローブ本体Ｇの指用カバーＣ２が取り付けられる対応する箇所にも引き出されるようにしておき、この紐７を使用して指用カバーＣ２の穴１２ａに通して結び付けると良い。
【００１７】
本実施の形態によれば、指用カバーＣ２が必要なときには取り付け、不要な場合は取り外して野球用グローブＧを使用することができる。例えば、外野手や内野手として当初守備につき、後で交代して投手としてマウンドに上がったときには、上記指用カバーＣ２を取り外して使用する等の使用が可能になる。なお、その他の構成は第１の実施の形態と同様であるので、同一部材は、同一符号をもって示し重複した説明を省略する。
【００１８】
また、指用カバーＣ２を着脱し得る構成にすることにより、指用カバーＣ２のみが損傷等した場合に、この指用カバーＣ２のみを交換して使用することも可能である。また、紐７の結び方の強弱や紐を結ぶ位置を変更することによって、指の動作による指用カバーＣ２の上記動作に強弱をもたせることができる。なお、上記紐７は、野球用グローブＧ２を縫い合わせる紐７を使用しているので、紐を別に設けることなく着脱させることができる。
【００１９】
ここで、指用カバーＣ２のグローブ本体Ｇに対する着脱としては、グローブ本体Ｇ側にも紐７を通す穴をいくつか形成し（図示せず）、両者を紐７で結んで取り付け、他方、紐７の結びを解除して、指用カバーＣ２を外すようにしても良い。また、グローブ本体Ｇ側に形成される穴を複数箇所に予め形成しておき（図示せず）、指用カバーＣ２の取り付け位置を変更することが可能である。例えば、指用カバーＣ２の長さ方向の距離を変更させ得るようにしたり、上記人差し指用の指用カバーＣ２を外して、中指用に変更すること等を可能にする紐を通す穴をいくつも予め形成しておくことも可能である。
【００２０】
以上、上記各実施の形態の説明では、人差し指を入れる指用カバーとして本発明を説明したが、本発明は、人差し指以外の指にも上記構成の指用カバーとして適用することが可能である。また、上記各実施の形態では、野手用の野球用グローブで説明したが、捕手が使用するグローブ（ミット）や一塁手が使用するグローブ（ファーストミット）、また、ソフトボールで使用されるグローブにも本発明を適用可能である。
【００２１】
【発明の効果】
本発明の野球用グローブによれば、この指用カバーは、グローブ本体と所定箇所のみ接合され、指用カバーに入れた指の動きに合わせてグローブ本体から指用カバーを離したり接するようにすることができるので、指の動作の自由が利き、ボールをキャッチし易くしたり、ボールを受けたときの痛みを十分に和らげることが可能になる。
【００２２】
また、指用カバーを紐を介して着脱することができるので、指用カバーが必要なときには取り付け、不要な場合は取り外して野球用グローブを使用することができる。また、紐の結び方の強弱や結ぶ位置によって、指の動作による指用カバーの動作に強弱をもたせることが可能である。
【００２３】
【図面の簡単な説明】
【図１】本発明の第１の実施の形態の野球用グローブを示す正面図である。
【図２】上記第１の実施の形態の野球用グローブの側面図である。
【図３】本発明の第２の実施の野球用グローブの正面図である。
【図４】上記第２の実施の形態の野球用グローブの側面図である。
【図５】上記第２の実施の形態の指用カバーの着脱状態を説明する正面図である。
【符号の説明】
Ｇ１，Ｇ２      野球用グローブ、
Ｇ              グローブ本体、
Ｃ１，Ｃ２      指用カバー、
１              親指の挿入部分、
２              人差し指の挿入部分、
３              中指の挿入部分、
４              薬指の挿入部分、
５              小指の挿入部分、
６              網、
７              紐、
８              甲当て部分、
９              開口、
１０            窓部、
１１ａ          連結部、
１２ａ          穴、
Ｃａ  裏面部材、Ｃｂ  表側部材、Ｃｃ  挿入口部分
【図１】
0004610138.tif 000002
【図２】
0004610138.tif 000003
【図３】
0004610138.tif 000004
【図４】
0004610138.tif 000005
【図５】
0004610138.tif 000006